(57)【要約】【課題】表示装置を制御する制御回路を兼用しながら、大きさが異なる表示装置を用いることができる遊技機を提供する。【解決手段】表示制御回路６１は、装飾図柄表示装置に７０に表示する画像を指示する表示制御信号を出力する。画像情報作成回路６３は、表示制御信号で指示された画像を第１の大きさで表示するための画像情報を作成する。画像情報処理回路６６は、画像情報作成回路で作成された画像情報を、表示制御回路６１で指示された画像を、第１の大きさと異なる第２の大きさで表示するための拡大画像情報に変換する。画像情報処理回路６６の描画用のクロック信号を出力する発振器６８は、表示制御基板６０に交換可能に配設されている。【選択図】図１
2007268053.tif 000002
【特許請求の範囲】
【請求項１】
表示装置と、遊技状態に応じて前記表示装置に表示する画像を指示する表示制御信号を出力する表示制御回路と、前記表示制御回路から出力された表示制御信号に基づいて、当該表示制御信号で指示されている画像を第１の大きさで表示するための画像情報を作成する画像情報作成回路と、前記画像情報作成回路で作成された画像情報を、前記画像を前記第１の大きさと異なる第２の大きさで表示するための拡大画像情報あるいは縮小画像情報に変換する画像情報処理回路と、前記表示制御回路、前記画像情報作成回路及び前記画像情報処理回路が固定して配設されている表示制御基板を備える遊技機であって、
前記画像情報作成回路に描画用のクロック信号を出力する第１の発振器と、前記画像情報処理回路に描画用のクロック信号を出力する第２の発振器を備え、前記第１の発振器は、前記表示制御基板に交換不能に配設されており、前記第２の発振器は、前記表示制御基板に交換可能に配設されている、
ことを特徴とする遊技機。
【発明の詳細な説明】
【技術分野】
【０００１】
本発明は、遊技機に関し、特に、遊技機の表示装置に画像を表示するための技術に関する。
【背景技術】
【０００２】
パチンコ機等の遊技機には、遊技状態に応じた画像を表示する表示装置が設けられている。表示装置としては、種々の表示装置が用いられているが、典型的には、液晶表示装置が用いられている。
液晶表示装置を制御する制御回路としては、表示制御回路とＶＤＰ（ビデオディスプレイプロセッサ）が用いられる。表示制御回路は、遊技状態に応じて、液晶表示装置に画像を表示するための表示制御信号を出力する。ＶＤＰは、表示制御回路から出力された表示制御信号に基づいて、キャラクタＲＯＭからキャラクタデータを読み出し、液晶表示装置に画像を表示するための画像情報を作成する。そして、作成した画像情報を、液晶表示装置を駆動する液晶表示装置駆動回路に出力する。
【特許文献１】特開２００３−２８４８５２号公報
【発明の開示】
【発明が解決しようとする課題】
【０００３】
近年、液晶表示装置への画像の表示による演出効果を高めるために、表示画面のサイズ（大きさ）が大きい液晶表示装置を用いた遊技機の開発が要望されている。例えば、７．７インチの表示画面を有する液晶装置に代えて、１２インチや１５インチの表示画面を有する液晶表示装置を使用することへの要望が高まっている。
ここで、表示画面のサイズが小さい液晶表示装置に代えて表示画面のサイズが大きい液晶表示装置を用いた場合、液晶表示装置の制御回路も、表示画面のサイズが大きい液晶表示装置に対応した制御回路を用いる必要がある。
しかしながら、表示画面のサイズが異なる液晶表示装置毎に、液晶表示装置の制御回路を設計、製作するのは手間がかかり、高価になる。
本発明は、このような点に鑑みて創案されたものであり、サイズが異なる表示画面を有する表示装置を用いた場合でも、表示装置を制御する制御回路を兼用することができる遊技機を提供することを目的とする。
【課題を解決するための手段】
【０００４】
前記課題を解決するための本発明の第１発明は、請求項１に記載されたとおりの遊技機である。
本発明の遊技機は、表示装置と、表示制御回路と、画像情報作成回路と、画像情報処理回路を有している。表示装置としては、典型的には、液晶表示装置が用いられる。
表示制御回路は、遊技状態に応じて、表示装置に画像を表示するための表示制御信号を出力する。表示制御信号は、表示装置に表示する画像を構成するキャラクタや各キャラクタの座標を指示する。
画像情報作成回路は、表示制御回路から出力された表示制御信号に基づいて、表示装置に画像を表示するためのキャラクタデータをキャラクタＲＯＭから読み出し、ＲＧＢ信号により構成される画像情報（ビットマップ）を作成する。画像情報は、一般的には、ビデオＲＡＭに一時的に記憶される。画像情報作成回路としては、例えば、ＶＤＰ（ビデオディスプレイプロセッサ）を用いることができる。
遊技機では、演出表示用の液晶表示装置として、種々の大きさ（サイズ）の表示画面を有する液晶表示装置が使用される。例えば、ＶＧＡ（６４０×４８０ドット）、ＳＶＧＡ（８００×６００ドット）、ＸＧＡ（１０２４×７６８ドット）の大きさの表示画面を有する液晶表示装置が使用される。
ここで、例えば、ＶＧＡの大きさの表示画面を有する液晶表示装置用に構成されている画像情報作成回路で作成された画像情報を、ＳＶＧＡの大きさの表示画面を有する液晶表示装置あるいはＸＧＡの大きさの表示画面を有する液晶表示装置の画像情報として用いることができない。また、例えば、ＸＧＡの大きさの表示画面を有する液晶表示装置用に構成されている画像情報作成回路で作成された画像情報を、ＶＧＡの大きさの表示画面を有する液晶表示装置あるいはＳＶＧＡの大きさの表示画面を有する液晶表示装置の画像情報として用いることができない。
本発明では、画像情報作成回路で作成された、第１の大きさ（サイズ）の画像を表示するための画像情報を、第１の大きさと異なる第２の大きさの画像を表示するための拡大画像情報あるいは縮小画像情報に変換する画像情報処理回路を設けている。
例えば、画像情報作成回路がＶＧＡの大きさのドット数を有する画像情報を作成する場合、表示装置としてＳＶＧＡあるいはＸＧＡの大きさの表示画面を有する液晶表示装置を用いる時には、画像情報処理回路は、画像情報作成回路で作成されたＶＧＡの大きさのドット数を有する画像情報を、ＳＶＧＡの大きさあるいはＸＧＡの大きさのドット数を有する画像情報に変換する。この場合、画像情報処理回路は、画像情報のドット数の増加あるいは減少に伴う画像の劣化を抑制するための処理（例えば、補間処理）を実行する。画像情報のドット数を増加あるいは減少させる処理方法としては、公知の種々の処理方法を用いることができる。画像情報処理回路で処理された画像情報は、一般的には、ビデオＲＡＭに一時的に記憶される。そして、画像情報処理回路は、処理した画像情報を表示装置に出力する。例えば、表示装置を駆動する表示装置駆動回路に出力する。
ところで、画像情報作成回路による画像情報作成処理（描画処理）や画像情報処理回路による画像情報変換処理（描画処理）は、描画用のクロック信号に基づいて実行される。本発明では、画像情報作成回路に描画用のクロック信号を出力する第１の発振器と、画像情報処理回路に描画用のクロック信号を出力する第２の発振器を設けている。
ここで、表示装置として表示画面の大きさが異なる液晶表示装置を用いる場合、画像情報処理回路での画像情報変換処理の処理速度が異なる。このため、本発明では、第１の発振器は、表示制御基板に交換不能に配設され、第２の発振器は、表示制御基板に交換可能に配設されている。交換不能に配設する方法としては、例えば、表示制御基板に設けられている配線パターンと、第１の発振器に設けられている端子を半田付けで接続する方法が用いられる。交換可能に配設する方法としては、例えば、表示制御基板にソケットを設け、第２の発振器に、ソケットに着脱自在なプラグを設ける方法が用いられる。第１及び第２の発振器としては、種々の構成の発振器を用いることができる。
第２の発振器が表示制御基板に交換可能に配設されているため、大きさの異なる表示装置を用いた場合でも、第２の発振器を交換することにより、表示装置のフレームレートに同期した描画タイミングで画像情報を拡大画像情報あるいは縮小画像情報に変換することができる。
【発明の効果】
【０００５】
請求項１に記載の遊技機では、第２の発振器が表示制御基板に交換可能に配設されている。このため、大きさが異なる表示画面を有する液晶表示装置に対して、共通の制御回路、すなわち、画像情報作成回路や画像情報処理回路を用いることができる。また、大きさが異なる表示画面を有する液晶表示装置を用いる場合、第２の発振器を交換するのみでよいため、大きさが異なる表示画面を有する液晶表示装置を用いることにともなう作業が簡単である。
【発明を実施するための最良の形態】
【０００６】
以下に、本発明の実施の形態を、図面を参照して説明する。
本発明をパチンコ機として構成した実施の形態の制御系の概略構成を図１に示す。
本実施の形態のパチンコ機は、主制御基板１０、特別図柄表示装置２０、副制御基板３０、スピーカ４０、ランプ５０、表示制御基板６０、装飾図柄表示装置７０等を有している。パチンコ機は、これ以外にも、賞球制御基板等の種々の制御基板を有している。
主制御基板１０には、主制御回路１１、ＲＯＭやＲＡＭを含む記憶回路１２等が配設されている。通常、主制御回路１１と記憶回路１２は、制御用集積回路（制御用ＩＣ）として構成される。
主制御回路１１には、種々の入力信号が入力される。例えば、遊技球が始動入賞装置に入球したことを示す始動入賞球検出信号、遊技球が一般入賞口に入球したことを示す一般入賞球検出信号、遊技球が大入賞装置に入球したことを示す大入賞球検出信号等が入力される。
【０００７】
主制御回路１１は、入力信号と、記憶回路１２に書き込まれている情報（例えば、制御プログラムや各種の乱数発生プログラム等のプログラムや制御データ等の記憶情報）に基づいて主制御信号を出力する主制御処理を実行する。
例えば、主制御回路１１は、始動入賞球検出信号が入力されると、当たり判定用乱数を読み取り、読み取った当たり判定用乱数が当たり値と一致するか否かを判定する（抽選手段により抽選を行う）。また、変動表示時間判定用乱数を読み取る。そして、特別図柄表示装置２０を駆動する表示装置駆動信号を主制御信号として出力し、特別図柄を用いて抽選結果を表示する。例えば、当たり判定用乱数が当たり値と一致する場合（抽選結果が当たりである場合）には、特別図柄表示装置２０に、特別図柄を、変動表示時間判定用乱数に対応する変動表示時間の間変動表示させた後、当たり特別図柄を停止表示させる。一方、当たり判定用乱数が当たり値と一致しない場合（抽選結果がはずれである場合）には、特別図柄表示装置２０に、特別図柄を、変動表示時間判定用乱数に対応する変動表示時間の間変動表示させた後、はずれ特別図柄を停止表示させる。
特別図柄表示装置２０としては、処理負担が軽いＬＥＤ等により構成される表示装置が用いられる。
【０００８】
さらに、主制御回路１１は、抽選結果と変動表示時間（当たり判定用乱数と変動表示時間判定用乱数）を示す主コマンド信号を主制御信号として副制御回路３１に出力する。
また、主制御回路１１は、当たり判定用乱数が当たり値と一致した場合（抽選結果が当たりである場合）には、変動表示時間経過後、大入賞口（図示省略）を開閉する大入賞口開閉部材（図示省略）を開制御する大入賞口制御信号を主制御信号として出力し、遊技者に有利な大当たり遊技状態を発生させる。同時に、大当たり遊技状態に対応する演出を行うことを指示する主コマンド信号を主制御信号として副制御回路３１に出力する。大当たり遊技状態は、設定時間が経過したこと、あるいは、設定数の遊技球が大入賞口に入球したことにより終了する。
また、主制御回路１１は、始動入賞球検出信号、一般入賞球検出信号、大入賞球検出信号が入力されると、それぞれに対応した数の遊技球を払い出すことを指示する主コマンド信号を主制御信号として賞球制御回路（図示省略）に出力する。
なお、主制御回路１１は、これ以外の種々の制御を行う。
【０００９】
副制御基板３０には、副制御回路３１、ＲＯＭやＲＡＭを含む記憶回路３２、音源ＩＣ３３、ランプ駆動回路３４等が配設されている。
副制御回路３１は、主制御回路１１から出力される主制御信号（抽選結果情報や変動表示時間情報を示す主コマンド信号等）と、記憶回路３２のＲＯＭに記憶されている情報（例えば、制御プログラムや各種の乱数発生プログラム等のプログラムや制御データ等の記憶情報）に基づいて、副制御信号を出力する副制御処理を実行する。
例えば、主制御回路１１から出力された主コマンド信号が、抽選結果が当たりであることを示している場合（当たり判定用乱数が当たり値と一致する場合）には、当たり図柄用乱数を読み取るとともに、主コマンド信号で示される変動表示時間（変動表示時間判定用乱数で示される変動表示時間）に対応する当たり図柄変動パターン用乱数を読み取る。そして、読み取った当たり図柄用乱数と当たり図柄変動パターン用乱数により、装飾図柄表示装置７０に表示する装飾図柄と変動パターンを決定する。一方、主コマンド信号が、抽選結果がはずれであることを示している場合（当たり判定用乱数が当たり値と一致しない場合）には、はずれ図柄判定用乱数を読み取るとともに、主コマンド信号で示される変動表示時間に対応するはずれ図柄変動パターン用乱数を読み取る。そして、読み取ったはずれ図柄用乱数とはずれ図柄変動パターン用乱数により、装飾図柄表示装置７０に表示する装飾図柄と変動パターンを決定する。
そして、決定した装飾図柄（当たり図柄あるいははずれ図柄）を示す図柄情報と変動パターン（当たり図柄変動パターンあるいははずれ図柄変動パターン）を示す変動パターン情報を含む表示コマンド信号（副コマンド信号）を副制御信号として表示制御回路６１に出力する。
装飾図柄表示装置７０としては、種々の演出表示を行うことができる種々の表示装置を用いることができる。一般的には、液晶表示装置等が用いられる。
【００１０】
また、決定した変動パターンに応じた音による演出を行うために、決定した変動パターンを示す変動パターン情報を含む副コマンド信号（音コマンド信号）を副制御信号として音源ＩＣ３３に出力する。音源ＩＣ３３は、音制御回路と音制御用記憶回路を有しており、入力された副コマンド信号（音コマンド信号）と、音制御用記憶回路に記憶されている情報に基づいてスピーカ（音発生装置）４０を駆動する音制御信号を出力し、変動パターンに対応した音をスピーカ４０から発生させる。
また、決定した変動パターンに応じた光による演出を行うために、決定した変動パターンに応じたランプ制御信号を副制御信号としてランプ駆動回路３４に出力する。ランプ駆動回路３４は、入力されたランプ制御信号に基づいてランプ５０を制御するランプ制御信号を出力し、ランプ５０を変動パターンに対応させて点灯あるいは消灯する。ランプ５０としては、例えば、ＬＥＤが用いられる。
なお、装飾図柄表示装置７０の装飾図柄の変動表示時間は、主制御回路１１で判定された、特別図柄表示装置２０の変動表示時間と一致する。したがって、特別図柄表示装置２０による特別図柄の変動表示の開始時点及び終了時点と、装飾図柄表示装置７０による装飾図柄の変動表示の開始時点及び終了時点は一致する。
【００１１】
表示制御基板６０には、表示制御回路６１、ＲＯＭやＲＡＭを含む記憶回路６２、ＶＤＰ（ビデオディスプレイプロセッサ）（画像情報作成回路）６３、ＲＯＭやＲＡＭを含む記憶回路６４、発振周波数がｆ１である発振器（第１の発振器）６５、画像情報処理回路６６、ＲＡＭを含む記憶回路６７、発振周波数がｆ１１である発振器（第２の発振器）６８−１等が配設されている。なお、点線で示す発振器６８−２は、発振周波数ｆ１２を有する発振器（第２の発振器）である。発振器６８−１、６８−２は、装飾図柄表示装置７０の表示画面の大きさに応じて液晶表示制御基板６０に、交換可能に取り付けられる。
表示制御基板６０が本発明の「表示制御基板」に対応し、表示制御回路６１が本発明の「表示制御回路」に対応し、発振器６５が本発明の「第１の発振器」に対応し、発振器６８−１、６８−２が本発明の「第２の発振器」に対応する。
発振器（第1の発振器）６５は、ＶＤＰ６３の描画用のクロック信号を出力する。発振器（第２の発振器）６８−１あるいは６８−２は、画像情報処理回路６６の描画用のクロック信号を出力する。発振器６５、６８−１、６８−２としては、種々の構成の発振器を用いることができる。
【００１２】
発振器６５、６８−１、６８−２として利用可能な発振器６８の一例の概略構成を図２に示す。
発振器６８は、水晶発振器６８ａ、発振回路６８ｂ、分周器６８ｃ、位相比較器６８ｄ、ＬＰ（低周波フィルタ）６８ｅ、ＶＣＯ（電圧制御発振器）６８ｆ、分周器６８ｇ、６８ｈ、周波数設定用ＲＯＭ６８ｉにより構成されている。
また、発振器６８には、周波数設定信号入力端子６８ｍとクロック信号出力端子６８ｈを有している。周波数設定信号入力端子６８ｍは、周波数設定用ＲＯＭ６８ｉに接続され、クロック信号出力端子６８ｈは、分周器６８ｈに接続されている。クロック信号出力端子６８ｈから出力されるクロック信号は、描画用クロック信号として画像情報処理回路６６に出力される。
図２に示す発振器６８は、水晶発振器６８ａ、発振回路６８ｂ、分周器６８ｃによって基準周波数信号が生成される。位相比較器６８ｄは、基準周波数信号と、分周器６８ｇを介したクロック信号の位相を比較し、比較結果をＬＦ６８ｅを介してＶＣＯ６８ｆに出力する。ＶＣＯ６８ｆは、位相比較器６８ｄの位相比較結果に基づいてクロック信号の位相、すなわち、周波数を制御する。これにより、基準周波数信号の周波数に対応する周波数を有するクロック信号が分周器６８ｈ、クロック信号出力端子６８ｈから出力される。
ここで、発振器６８から出力されるクロック信号の周波数は、分周器６８ｃ、６８ｇ、６８ｈの分周比によって決定される。また、分周器６８ｃ、６８ｇ、６８ｈの分周比は、周波数設定用ＲＯＭ６８ｉに記憶されている周波数設定信号によって決定される。したがって、発振器６８から出力されるクロック信号の周波数は、周波数設定用ＲＯＭ６８ｉに記憶されている周波数設定信号によって設定される。
【００１３】
図２に示す発振器６８では、周波数数設定用ＲＯＭ６８ｉは、１回のみ、周波数設定信号入力端子６８ｍから入力される周波数設定信号を記憶可能である。すなわち、発振器６８は、周波数設定用ＲＯＭ６８ｉに記憶されている周波数設定信号に基づいて設定される周波数を有するクロック信号を出力する、ワンタイムＲＯＭタイプの発振器（１回のみ周波数設定信号の書き替えが可能なＲＯＭを有する発振器）として構成されている。
周波数設定信号入力端子６８ｍを介してＲＯＭ６８ｉに周波数設定信号を記憶する処理は、適宜の時期に、適宜の回路を用いて行うことができる。
なお、発振器６８−１、６８−２としては、これ以外の構成の発振器を用いることもできる。
【００１４】
本実施の形態では、表示制御回路６１、記憶回路６２、ＶＤＰ６３、記憶回路６４、発振器６５、画像情報処理回路６６、記憶回路６７は、表示制御基板６０に固定して（交換不能に）配設されている。例えば、表示制御基板に配設されている配線パターンに、各回路の端子が半田付けによって接続されている。
また、発振器６８−１あるいは６８−２は、一方が選択され、表示制御基板６０に交換可能（着脱自在）に配設されている。例えば、表示制御基板６０に、第２の発振器を取り付けるためのコネクタが固定して配設されており、発振器６８あるいは６９の端子が、表示制御基板６０に配設されているコネクタに着脱自在に挿入される。
【００１５】
記憶回路６２のＲＯＭには、表示制御プログラム等の他に、各変動パターン及び装飾図柄（当たり図柄あるいははずれ図柄）を装飾図柄表示装置７０に表示させるための、各画面を構成するキャラクタの種類や座標等のデータが記憶されている。
表示制御回路６１は、副制御回路３１から出力された副制御信号、例えば、図柄情報や変動パターン情報等を含む副コマンド信号（表示コマンド信号）と、記憶回路６２のＲＯＭに記憶されている表示制御プログラム等に基づいて、表示制御信号をＶＤＰ３３に出力する表示制御処理を実行する。
【００１６】
記憶回路６４のＲＯＭには、装飾図柄表示装置７０に表示させる各画像の画像情報（例えば、表示画面のビットマップ）を形成するためのキャラクタデータが記憶されている。記憶回路６４のＲＡＭには、ＶＤＰ６３で作成された、装飾図柄表示装置３５に画像を表示するための画像情報（表示画面のビットマップ）が一時的に記憶される。
ＶＤＰ６３（画像情報作成回路）は、表示制御回路６１から出力された表示制御信号に基づいて画像情報を作成する。例えば、表示制御信号で指示された変動パターンを表示するための各画像の画像情報を構成するキャラクタデータを記憶回路６４のＲＯＭ（キャラクタＲＯＭ）から読み出して画像情報（ＲＧＢ信号により構成されるビットマップ）を作成し、記憶回路６４のＲＡＭ（「ビデオＲＡＭ」ともいう）に書き込む。そして、ＲＡＭに書き込まれている、画像情報（ビットマップ）を出力する。
なお、ＶＤＰ６３は、第１の大きさ（サイズ）の表示画面を有する液晶表示装置に画像を表示するための画像情報を作成するように構成されている。例えば、ＶＧＡ（６４０×４８０ドット）の大きさの表示画面に表示する画像情報（６４０×４８０ドットのビットマップ）を作成するように構成されている。
【００１７】
また、発振器（第1の発振器）６５は、ＶＤＰ６３が、第１の大きさの表示画面に画像を表示するための画像情報を作成する画像作成処理（描画処理）を実行するのに適した周波数ｆ１のクロック信号を出力する。例えば、第１の大きさとしてＶＧＡの大きさが選択され、装飾図柄表示装置７０として用いられる液晶表示装置のフレームレートが１６ｍｓの場合には、［６４０（＋１６０）×４８０（＋２０）ドット＝８００×５００ドット＝４０００００ドット］（カッコ内は、水平、垂直ブランキング信号の出力時間をドット当たりに換算した値である）を１６ｍｓで除算した［４０００００ドット÷１６ｍｓ＝２５ＭＨｚ］のクロック信号を出力する。
【００１８】
ＶＤＰ６３の画像情報作成処理（描画処理）の一例を、図３に示す。
ＶＤＰ６３は、図３に示すように、表示制御信号で指示された画像を構成するキャラクタＡ〜Ｃのキャラクタデータを記憶回路６４のＲＯＭ（キャラクタＲＯＭ）から読み出し、画像情報Ｍを作成する。画像情報Ｍは、例えば、ＶＧＡの大きさの表示画面の各ドット位置のＲＧＢ信号を含む、（６４０×４８０ドット）のビットマップとして形成される。
【００１９】
画像情報処理回路６６は、ＶＤＰ６３で作成された、第１の大きさの表示画面に表示するための画像情報を、第１の大きさと異なる第２の大きさの表示画面に表示するための画像情報に変換し、記憶回路６７のＲＡＭ（「ビデオＲＡＭ」ともいう）に書き込む。画像情報変換処理では、第１の大きさの表示画面より大きい第２の大きさの表示画面を有する液晶表示装置が用いられる場合には、第１の大きさより大きい第２の大きさの表示画面に表示するための拡大画像情報に変換し、また、第１の大きさの表示画面より小さい第２の大きさの表示画面を有する液晶表示装置が用いられる場合には、第１の大きさより小さい第２の大きさの表示画面に表示するための縮小画像情報に変換する。
例えば、画像情報処理回路６６は、ＶＤＰ６３で作成された、ＶＧＡ（６４０×４８０ドット）の大きさの表示画面に表示するための画像情報（６４０×４８０ドットのビットマップ）を、ＶＧＡの大きさより大きいＳＶＧＡ（８００×６００ドット）の大きさの表示画面に表示するための拡大画像情報（８００×６００ドットのビットマップ）、あるいは、さらに大きいＸＧＡ（１０２４×７６８ドット）の大きさの表示画面に表示するための拡大画像情報（１０２４×７６８ドットのビットマップ）に変換する。
第１の大きさの表示画面に表示するための画像情報（ビットマップ）を、第１の大きさより大きい表示画面に表示するための画像情報（ビットマップ）に変換（拡大）する場合には、ビット数の増加による画像の劣化を抑制するための処理、例えば、補間処理や繰り返し処理等が実行される。
また、第１の大きさの表示画面に表示するための画像情報（ビットマップ）を、第１の大きさより小さい表示画面に表示するための画像情報（ビットマップ）に変換（縮小）する場合には、ビット数の減少による画像の劣化を抑制するための処理が行われる。
そして、ＲＡＭに書き込まれている、拡大画像情報あるいは縮小画像情報を装飾図柄表示装置７０に出力する。
【００２０】
また、発振器（第２の発振器）６８−１あるいは６８−２は、画像情報処理回路６６が、第１の大きさの表示画面に表示するための画像情報を、第１の大きさと異なる第２の大きさの表示画面に表示するための画像情報に変換する画像変換処理（描画処理）を実行するのに適した周波数ｆ１１あるいはｆ１２を有するクロック信号を出力するように設定あるいは選択される。
例えば、ＶＧＡの大きさの表示画面に表示するための画像情報を、ＶＧＡより大きいＳＶＧＡあるいはＸＧＡの大きさの表示画面に表示するための拡大画像に変換する画像変換処理を実行するのに適した周波数ｆ１１あるいはｆ１２のクロック信号を出力する発振器６８−１あるいは６８−２が用いられる。この場合、発振器６８−１は、［８００（＋２２０）×６００（＋２７）ドット＝１０２０×６２７ドット＝６３９５４０ドット］（カッコ内は、水平、垂直ブランキング信号の出力時間をドット当たりに換算した値である）を液晶表示装置のフレームレート１６ｍｓで除算した［６３９７４０ドット÷１６ｍｓ＝４０ＭＨｚ］のクロック信号を出力するように設定される。また、発振器６８−２は、［１０２４（＋２６６）×７６８（＋３８）ドット＝１２９０×８０６ドット＝１０３９７４０ドット］（カッコ内は、水平、垂直ブランキング信号の出力時間をドット当たりに換算した値である）を液晶表示装置のフレームレート１６ｍｓで除算した［１０３９７４０ドット÷１６ｍｓ＝６５ＭＨｚ］のクロック信号を出力するように設定される。発振器６８−１、６８−２のクロック信号の周波数は、例えば、図２に示す周波数設定用ＲＯＭ６８ｉに記憶させる周波数設定信号を選択することによって設定することができる。
本実施の形態では、発振器６８−１、６８−２は、表示制御基板６０に交換可能（着脱自在）に配設される。このため、装飾図柄表示装置７０の表示画面の大きさに対応する周波数のクロック信号を出力する発振器６８−１あるいは６８−２が選択され、表示制御基板６０に交換可能に配設される。
【００２１】
画像情報処理回路６６の画像情報変換処理（描画処理）処理の一例を、図３に示す。図３には、画像情報を拡大画像情報に変換する場合を示している。
画像情報処理回路６６は、ＶＤＰ６３で作成された、第１の大きさの表示画面に表示するための画像情報Ｍを、第１の大きさより大きい第２の大きさの表示画面に表示するための拡大画像情報Ｎに変換する。例えば、ＶＧＡの大きさの表示画面に表示するための（６４０×４８０ドット）の画像情報（ビットマップ）Ｍを、ＶＧＡより大きいＳＶＧＡの大きさの表示画面に表示するための（８００×６００ドット）の拡大画像情報（ビットマップ）Ｎに変換し、あるいは、ＸＧＡの大きさの表示画面に表示するための（１０２４×７６８ドット）の拡大画像情報（ビットマップ）Ｎに変換する。第１の大きさ画像に対応する画像情報（ビットマップ）を第２の大きさ（＞第１の大きさ）の画像に対応する拡大画像情報（ビットマップ）に変換する際には、画像の劣化を抑制するために補間処理や繰り返し処理等が行われる。
第１の大きさの画像に対応する画像情報を第２の大きさ（＜第１の大きさ）の画像に対応する縮小画像情報に変換する際にも、画像の劣化を抑制するための処理が行われる。
【００２２】
以上のように、本実施の形態では、画像情報処理回路６６に描画用のクロック信号を出力する発振器を、表示制御基板６０に交換可能（着脱自在）に配設している。
これにより、ＶＤＰ（画像情報作成回路）として、第１の大きさの表示画面に表示する画像に対応する画像情報を作成するＶＤＰ（画像情報作成回路）を用いながら、装飾図柄表示装置７０として、第１の大きさと異なる第２の大きさの表示画面を有する液晶表示装置を用いることができる。例えば、ＶＧＡ（６４０×４８０ドット）の大きさの表示画面に表示する画像に対応する画像情報を作成するためのＶＤＰを用いながら、ＳＶＧＡ（８００×６００ドット）あるいはＸＧＡ（１０２４×７６８ドット）の大きさの表示画面を有する液晶表示装置を用いることができる。
したがって、表示装置を制御する制御回路を共通に用いながら、異なる大きさの表示画面を有する表示装置を用いることができる。例えば、大きさが大きい表示画面を有する表示装置を用いることにより、遊技の演出効果を高めることができる。あるいは、大きさが小さい表示画面を有する表示装置を用いることにより、遊技盤面の有効遊技領域を拡大することができる。
また、大きさの異なる表示画面を有する表示装置を用いる場合、画像情報処理回路６６に描画用のクロック信号を出力する第２の発振器を交換するのみでよいため、作業も簡単である。
なお、以上の説明では、装飾図柄表示装置７０として表示画面のサイズがＳＶＧＡあるいはＸＧＡの２種類の液晶表示装置を用いる場合について説明したが、本発明は、これ以外のサイズや３種類以上の液晶表示装置を用いる場合にも適用することができる。この場合には、第２の発振器の発振周波数や数も対応して変更される。
【００２３】
第１の実施の形態では、表示画面の大きさが異なる表示装置を用いた場合、画像情報処理回路６６に描画用のクロック信号を出力する第２の発振器を交換したが、発振器の交換作業を省略することもできる。
以下に、画像情報処理回路に描画用のクロック信号を出力する第２の発振器としてプログラマブル発振器を用いた第２の実施の形態を説明する。
【００２４】
第２の実施の形態を、図４に示す。第２の実施の形態は、表示制御基板１６０を除いて第１の実施の形態と同様の構成であるため、以下では、表示制御基板１６０の構成について説明し、他の構成の説明は省略する。
表示制御基板１６０には、表示制御回路１６１、ＲＯＭやＲＡＭを含む記憶回路１６２、ＶＤＰ（ビデオディスプレイプロセッサ）（画像情報作成回路）１６３、ＲＯＭやＲＡＭを含む記憶回路１６４、発振周波数がｆ１である発振器（第１の発振器）１６５、画像情報処理回路１６６、ＲＡＭを含む記憶回路１６７、発振周波数が可変である（発振周波数をｆ１１あるいはｆ１２に設定可能である）プログラマブル発振器（第２の発振器）１６８が配設されている。
本実施の形態では、表示制御基板１６０が本発明の「表示制御基板」に対応し、表示制御回路１６１が本発明の「表示制御回路」に対応し、発振器１６５が本発明の「第１の発振器」に対応し、プログラマブル発振器１６８が本発明の「第２の発振器」に対応する。
発振器（第1の発振器）１６５は、ＶＤＰ１６３に描画用のクロック信号を出力し、プログラマブル発振器（第２の発振器）１６８は、画像情報処理回路１６６に描画用のクロック信号を出力する。
本実施の形態では、表示制御回路１６１、記憶回路１６２、ＶＤＰ１６３、記憶回路１６４、発振器１６５、画像情報処理回路１６６、記憶回路１６７、プログラマブル発振器１６８は、表示制御基板１６０に固定して（交換不能に）配設されている。例えば、表示制御基板１６０に配設されている配線パターンに、各回路の端子が半田付けによって接続されている。
【００２５】
表示制御回路１６１は、第１の実施の形態の表示制御回路６１と同様に、副制御回路３１から出力された副制御信号と、記憶回路１６２のＲＯＭに記憶されている表示制御プログラム等に基づいて、表示制御信号をＶＤＰ３３に出力する表示制御処理を実行する。
ＶＤＰ１６３（画像情報作成回路）は、第１の実施の形態のＶＤＰ６３と同様に、表示制御回路１６１から出力された表示制御信号に基づいて、表示制御信号で指示された画像を第１の大きさで表示するための画像情報を作成する。
発振器（第1の発振器）１６５は、第１の実施の形態の発振器６５と同様に、ＶＤＰ６３が、第１の大きさの表示画面に画像を表示するための画像情報を作成する画像作成処理（描画処理）を実行するのに適した周波数ｆ１のクロック信号を出力する。例えば、ＶＧＡの大きさの表示画面を有し、フレームレートが１６ｍｓである液晶表示装置を用いる場合には、［４０００００ドット÷１６ｍｓ＝２５ＭＨｚ］のクロック信号を出力する。
画像情報処理回路１６６は、第１の実施の形態の画像情報処理回路６６と同様に、ＶＤＰ１６３で作成された、第１の大きさの表示画面に表示するための画像情報を、第１の大きさと異なる第２の大きさの表示画面に表示するための拡大画像情報あるいは縮小画像情報に変換する。例えば、ＶＧＡより大きいＳＶＧＡの大きさ、あるいは、さらに大きいＸＧＡの大きさの表示画面に表示するための画像情報に変換する。
【００２６】
プログラマブル発振器１６８は、周波数設定信号入力端子を有しており、周波数設定信号入力端子に入力される周波数設定信号に応じた周波数のクロック信号を出力する。また、表示制御回路１６１は、周波数設定信号出力端子を有している。そして、表示制御回路１６１の周波数設定信号出力端子とプログラマブル発振器１６８の周波数設定信号入力端子は、図４に破線で示されている接続線によって接続されている。
表示制御回路１６１は、装飾図柄表示装置７０の表示画面の大きさに応じた周波数設定信号を周波数設定信号出力端子からプログラマブル発振器１６８の周波数設定信号入力端子に入力する。
これにより、プログラマブル発振器１６８は、装飾図柄表示装置７０の表示画面の大きさに応じた周波数のクロック信号、すなわち、画像処理回路１６６が画像変換処理を実行するのに適した周波数のクロック信号を、描画用クロック信号として画像処理回路１６６に出力する。
例えば、ＶＤＰ１６３がＶＧＡ［６４０×４８０ドット］の大きさの表示画面に対応する画像情報を作成するように構成されている場合、装飾図柄表示装置７０として、ＳＶＧＡ（８００×６００ドット）の大きさの表示画面を有し、フレームレートが１６ｍｓである液晶表示装置を用いる時には、プログラマブル発振器１６８から、周波数ｆ１１［＝６３９５４０ドット÷１６ｍｓ＝４０ＭＨｚ］のクロック信号が出力され、ＸＧＡ（１０２４×７６８ドット）の大きさの表示画面を有し、フレームレートが１６ｍｓである液晶表示装置を用いる時には、プログラマブル発振器１６８から、周波数ｆ１２［＝１０３９７４０ドット÷１６ｍｓ＝６５ＭＨｚ］のクロック信号が出力される。
【００２７】
以上のように、本実施の形態では、画像情報処理回路１６６に描画用のクロック信号を出力する発振器としてプログラマブル発振器を用いている。
これにより、第１の大きさの表示画面に表示する画像情報を作成するためのＶＤＰ（画像情報作成回路）１６３を用いながら、装飾図柄表示装置７０として、第１の大きさと異なる第２の大きさの表示画面を有する表示装置を用いることができる。例えば、ＶＧＡ（６４０×４８０ドット）の表示画面に表示する画像情報を作成するためのＶＤＰ（画像情報作成回路）１６３を用いながら、装飾図柄表示装置７０として、ＶＧＡより大きいＳＶＧＡ（８００×６００ドット）あるいはＸＧＡ（１０２４×７６８ドット）の大きさの表示画面を有する表示装置を用いることができる。
また、装飾図柄表示装置７０として大きさの異なる表示画面を有する表示装置を用いる場合、プログラマブル発振器１６８の周波数設定信号入力端子に入力する周波数設定信号を変更するのみで、画像情報処理回路１６６に出力する描画用のクロック信号の周波数を変更することができる。さらに、プログラマブル発振器１６６から出力するクロック信号の周波数の変更処理を表示制御回路１６１で行うため、追加の装置が不要である。
また、プログラムブル発振器１６６の周波数設定信号入力端子に入力する周波数設定信号を変更するのみでプログラマブル発振器１６６から出力されるクロック信号の周波数を変更することができるため、表示装置の表示画面の大きさの変更に容易に対応することができる。
なお、以上の説明では、装飾図柄表示装置７０として表示画面のサイズがＳＶＧＡあるいはＸＧＡの２種類の液晶表示装置を用いる場合について説明したが、本発明は、これ以外のサイズや３種類以上の液晶表示装置を用いる場合にも適用することができる。この場合には、プログラマブル発振器の周波数設定信号入力端子に入力する周波数設定信号を変更するだけでよい。
【００２８】
本発明は、実施の形態で説明した構成に限定されず、種々の変更、追加、削除が可能である。
例えば、画像情報作成回路や画像情報処理回路としては、種々の構成のものを用いることができる。さらに、画像情報を作成する方法や画像情報を拡大画像情報あるいは縮小画像に変換する方法としては種々の方法を用いることができる。
また、表示装置としては種々の構成の表示装置を用いることができる。
また、パチンコ機の表示装置を制御する場合について説明したが、本明細書に開示されている技術は、パチンコ機以外の種々の遊技機の表示装置を制御する場合に適用することができる。
【００２９】
本発明は、以下のように構成することもできる。
例えば、「（態様１）請求項1の遊技機であって、前記表示制御基板には、コネクタが固定して配設されており、前記第２の発振器は、前記表示制御基板に配設されているコネクタに着脱可能に装着される端子を有していることを特徴とする遊技機。」として構成することができる。
本発明では、表示制御基板にコネクタを固定して配設し、第２の発振器の端子をコネクタに着脱自在に構成している。
これにより第２の発振器を容易に交換することができる。
【００３０】
また、「（態様２）請求項１または態様２の遊技機であって、前記第２の発振器は、周波数設定信号を記憶するＲＯＭを有し、前記ＲＯＭに記憶されている周波数設定信号に対応する周波数のクロック信号を出力することを特徴とする遊技機。」として構成することができる。
本発明では、第２の発振器として、周波数設定信号を記憶するＲＯＭを有し、ＲＯＭに記憶されている周波数設定信号に対応する周波数のクロック信号を出力する発振器を用いている。
ＲＯＭとしては１回のみ書き替えが可能なＲＯＭを用いるのが好ましい。
本発明では、ＲＯＭに記憶する周波数設定信号を変更することによってクロック信号の周波数を容易に変更することができる。このため、共通の発振器を用いることができる。
【００３１】
また、「（態様３）表示装置と、遊技状態に応じて前記表示装置に表示する画像を指示する表示制御信号を出力する表示制御回路と、前記表示制御回路から出力された表示制御信号に基づいて、当該表示制御信号で指示されている画像を第１の大きさで表示するための画像情報を作成する画像情報作成回路と、前記画像情報作成回路で作成された画像情報を、前記画像を前記第１の大きさと異なる第２の大きさで表示するための拡大画像情報あるいは縮小画像情報に変換する画像情報処理回路と、前記表示制御回路、前記画像情報作成回路及び前記画像情報処理回路が固定して配設されている表示制御基板を備える遊技機であって、前記画像情報作成回路に描画用のクロック信号を出力する第１の発振器と、前記画像情報処理回路に描画用のクロック信号を出力する第２の発振器を備え、前記第１及び第２の発振器は、前記表示制御基板に固定して配設されており、前記第２の発振器として、入力された周波数設定信号に対応する周波数のクロック信号を出力するプログラマブル発振器が用いられていることを特徴とする遊技機。」として構成することができる。
本発明の遊技機は、表示装置と、表示制御回路と、画像情報作成回路と、画像情報処理回路を有している。また、画像情報作成回路に、描画用のクロック信号を出力する第１の発振器と、画像情報処理回路に描画用のクロック信号を出力する第２の発振器を有している。第２の発振器としては、周波数設定信号によって発振周波数が可変可能なプログラマブル発振器が用いられている。
表示制御回路は、遊技状態に応じて、表示装置に表示する画像を指示する表示制御信号を出力する。画像情報作成回路は、表示制御回路から出力された表示制御信号に基づいて、表示制御信号で指示された画像を第１の大きさの表示画面に表示するための画像情報を作成する。画像情報処理回路は、画像情報作成回路で作成された画像情報を、第１の大きさと異なる第２の大きさの表示画面に表示するための拡大画像情報あるいは縮小画像情報に変換する。変換方法としては、第１発明と同様の方法を用いることができる。
第２の発振器として、周波数設定信号入力端子に入力される周波数設定信号によって発振周波数が可変可能なプログラマブル発振器を用いているため、表示画面の大きさの異なる表示装置を用いた場合でも、表示装置のフレームレートに同期した描画タイミングで画像情報の変換処理を行うことができる。また、種々の大きさの表示画面を有する表示装置に対して対応することができる。
【００３２】
また、「（態様４）態様３の遊技機であって、前記プログラマブル発振器は、周波数設定信号が入力される周波数設定信号入力端子を有し、前記表示制御回路は、周波数設定信号を出力する周波数設定信号出力端子を有し、前記プログラマブル発振器の周波数設定信号入力端子は、前記表示制御回路の周波数設定信号入力端子に接続されていることを特徴とする遊技機。」として構成することができる。
本発明では、プログラマブル発振器の周波数設定信号入力端子と表示制御回路の周波数設定信号出力端子を接続している。
本発明では、プログラマブル発振器の発振周波数を表示制御回路を用いて設定することができるため、発振周波数を設定するための追加の装置が不要である。
【図面の簡単な説明】
【００３３】
【図１】第１の実施の形態の概略構成図である。
【図２】発振器の一例の概略構成図である。
【図３】画像情報作成回路と画像情報処理回路の描画処理を説明する図である。
【図４】第２の実施の形態の概略構成図である。
【符号の説明】
【００３４】
１０  主制御基板
１１  主制御回路
１２、３２、６２、６４、６７、１６２、１６４、１６７  記憶回路
２０  特別図柄表示装置
３０  副制御基板
３１  副制御回路
３３  音源ＩＣ
３４  ランプ駆動回路
４０  スピーカ
５０  ランプ
６０、１６０  表示制御基板
６１、１６１  表示制御回路
６３、１６３  ＶＤＰ（画像情報作成回路）
６５、６８、６８−１、６８−２、１６５  発振器
６６  画像情報処理回路
７０  装飾図柄表示装置
１６８  プログラマブル発振器
【図１】
2007268053.tif 000003
【図２】
2007268053.tif 000004
【図３】
2007268053.tif 000005
【図４】
2007268053.tif 000006